(57)【要約】【課題】メインパネルとサブパネルを搭載した両面表示装置において、駆動するためのドライバＩＣをメインパネルとサブパネルで共用化し、安価な両面表示装置を提供する。【解決手段】第二の表示パネルには第一の表示パネルを駆動する信号が第一の表示パネルと同時にドライバＩＣによって印加されることとした。そのため、ドライバＩＣが実装されたＦＰＣを第一の表示パネルに接続する場合、同一駆動信号が入力される電極を２ヶ所設けて、一方をメインパネルに駆動信号を供給する電極とし他方をサブパネルに駆動信号を供給する電極とした。【選択図】  図１
2005070121.tif 000002
【特許請求の範囲】
【請求項１】
第一の表示パネルと、第二の表示パネルと、第一の表示パネルと第二の表示パネルを駆動するドライバＩＣとを備え、前記第二の表示パネルには前記第一の表示パネルを駆動する信号が前記第一の表示パネルと同時に印加されることを特徴とする表示装置。
【請求項２】
前記第一の表示パネルと前記第二の表示パネルは液晶表示パネルであり、前記第一の表示パネルと前記第二の表示パネルの液晶駆動電圧が異なることを特徴とする請求項１に記載の表示装置。
【請求項３】
前記ドライバＩＣはコモン信号とセグメント信号を出力するとともに、前記第一の表示パネルを駆動するための前記コモン信号と前記セグメント信号を用いて、前記第一の表示パネルと同時に前記第二の表示パネルを駆動することを特徴とする請求項１に記載の表示装置。
【請求項４】
前記ドライバＩＣが実装されたＦＰＣと、前記第一の表示パネルと前記第二の表示パネルを接続する接続基板を備えるとともに、
前記ＦＰＣには第一の表示パネルと接続する接続端子部が形成され、
前記接続端子部は、前記ドライバＩＣが出力する同一の駆動信号を前記第一の表示パネルに与えるための第一の接続端子と第二の接続端子を含んでおり、
前記第一の接続端子から入力された駆動信号は前記第一の表示パネルの駆動に用いられ、前記第二の接続端子から入力された駆動信号は前記第一の表示パネルに形成された電極を経由して前記第二の表示パネルに供給されて前記第二の表示パネルの駆動に用いられることを特徴とする請求項１〜３のいずれか一項に記載の表示装置。
【請求項５】
前記ドライバＩＣが実装されたＦＰＣと、前記第一の表示パネルと前記第二の表示パネルを接続する接続基板を備えるとともに、
前記第一の表示パネルには、前記ＦＰＣと接続する接続端子部、前記ドライバＩＣが出力する駆動信号を前記第一の表示パネルに与えるための第一の配線、及び、前記第二の表示パネルに与えるための第二の配線が形成され、
前記接続端子部は、前記第一の配線と前記第二の配線と電気的に接続されたことを特徴とする請求項１〜３のいずれか一項に記載の表示装置。
【請求項６】
前記ドライバＩＣが実装されたＦＰＣを備えるとともに、
前記ＦＰＣは、前記第一の表示パネルと接続する第一の接続端子部と前記第二の表示パネルと接続する第二の接続端子部を有し、
前記第二の接続端子部を構成する端子は前記第一の接続端子部の端子に配線され、前記第二の表示パネルに印加される駆動信号は前記第一の表示パネルと同時に印加されることを特徴とする請求項１〜３のいずれか一項に記載の表示装置。
【発明の詳細な説明】
【０００１】
【発明の属する技術分野】
本発明は、携帯電話や情報端末、ハンディーターミナルなどに搭載される表示装置に関する。詳しくは、表裏に表示装置を配した両面表示の表示装置を駆動するための、ドライバＩＣの接続構造に関するものである。表示装置は、ＳＴＮ型液晶やＴＦＴ型液晶や、有機ＥＬ，ＦＥＤ，ＬＥＤなどの表示装置に関する。
【０００２】
【従来の技術】
従来の表示装置、例えば、ＳＴＮ型液晶表示装置は、セグメント電極とコモン電極をマトリクス状に配置して、ドットマトリックスが形成されている。各電極の表面には、ポリイミドなどの配向膜が形成され、その間に液晶層が設けられている。各電極に時分割で電圧を印加することにより画面を駆動する。セグメント信号とコモン信号はそれぞれ異なり、ドットマトリクスを構成する電極毎にドライバＩＣの出力電極を接続して、信号を印加する。画素数が１６０×１２８ドット程度であれば、セグメント信号とコモン信号を出力するドライバＩＣを１チップで構成しているが、それ以上の画面の画素数では、セグメントとコモンのドライバＩＣにはそれぞれの専用のドライバを使用する。ドライバＩＣの駆動信号の出力数と画素数の関係に応じて、複数のドライバＩＣを使用することもある。
【０００３】
近年携帯電話は、二つに開くシェルタイプが多く採用されており、表示画面として、メイン画面と背面のサブ画面が搭載され、二つの画面が両面に表示される形態（以下、両面パネルと称す）が増えている。二つの画面は、別々の表示パネルで構成されており（例えば、特許文献１参照）、その表示パネルを駆動するＩＣもそれぞれに実装して、画面を駆動していたか、二つの表示画面のサイズを足した画素数に対応したドライバＩＣ１個で二つの画面を駆動する方法もあった。この方法は例えばＳＴＮ型液晶の場合、セグメント信号をメインの表示パネルに接続した辺と対向する辺から信号を引き出し、サブの表示パネルにフィルム基板で接続しセグメント信号を共用した。また、コモン電極は、セグメント信号の接続端子の両側に配置し、メインの表示パネルで使用するコモン電極のさらに両側にサブ画面専用の信号をメインの表示パネルに接続し、メインの表示パネルの外周を経由してサブの表示パネルにセグメント信号と同様に接続して、二つの画面を駆動した。
【０００４】
【特許文献１】
特開２０００−３３８４８３号公報（第２頁、第１図）
【０００５】
【発明が解決しようとする課題】
しかしながら、従来の両面パネルでは、以下のような問題点が存在した。
（１）メインの表示パネルとサブの表示パネルをそれぞれ別のドライバで駆動した場合、二つのＩＣを必要とするため、高価であった。
（２）上記の構成では、同様に二つのＩＣを実装するため、実装工程が増え、高価であった。
（３）上記の構成では、二つのＩＣを実装するため実装エリアが大きくなり、コンパクトに構成することが難しくなった。
（４）メイン画面とサブ画面分の画素数に対応する１チップのドライバで駆動する場合は、画素数に対応する専用のドライバＩＣを用意する必要があり、高価であった。
【０００６】
そこで、本発明の目的は、安価な汎用性の高い１つのドライバＩＣを用いて、メインとサブの二つの表示パネルを表示し、安価で、製造プロセスの短く、コンパクトな両面表示装置を提供する事にある。
【０００７】
【課題を解決するための手段】
上記した従来構造の課題を解決するために、本発明の表示装置は、メインの表示装置の画素数に対応したドライバで、メインの画面とサブの画面を同一信号で駆動して表示できる構成とした。
【０００８】
すなわち、本発明の表示装置は、第一の表示パネルと、第二の表示パネルと、第一の表示パネルと第二の表示パネルを駆動するドライバＩＣとを備え、第二の表示パネルには第一の表示パネルを駆動する信号が第一の表示パネルと同時に印加されることとした。
【０００９】
さらに、ドライバＩＣが実装されたＦＰＣと、第一の表示パネルと第二の表示パネルを接続する接続基板を備えるとともに、ＦＰＣには、ドライバＩＣが出力する同一の駆動信号を第一の表示パネルに与えるための第一の接続端子と第二の接続端子が形成されており、第一の接続端子から入力された駆動信号は第一の表示パネルの駆動に用いられ、第二の接続端子から入力された駆動信号は第一の表示パネルに形成された配線電極を経由して第二の表示パネルに供給されて第二の表示パネルの駆動に用いられる。
【００１０】
あるいは、ドライバＩＣが実装されたＦＰＣと、第一の表示パネルと第二の表示パネルを接続する接続基板を備えるとともに、第一の表示パネルには、ＦＰＣと接続する接続端子部、ドライバＩＣが出力する駆動信号を第一の表示パネルに与えるための第一の配線、及び、第二の表示パネルに与えるための第二の配線が形成されており、さらにこの接続端子部は第一の配線と前記第二の配線と電気的に接続されている。
【００１１】
あるいは、ドライバＩＣが実装されたＦＰＣを備えるとともに、このＦＰＣには第一の表示パネルと接続する第一の接続端子部と第二の表示パネルと接続する第二の接続端子部が形成されており、第二の接続端子部を構成する端子は第一の接続端子部の端子に配線されている。そのため、第二の表示パネルに印加される駆動信号が第一の表示パネルと同時に印加されることとなる。
【００１２】
【発明の実施の形態】
本発明の表示装置は、二枚の表示パネルとドライバＩＣを備えた両面パネルの表示装置であり、ドライバＩＣは、複数の種類の信号、例えばＳＴＮ型液晶表示パネルを駆動するセグメント信号とコモン信号や、ＴＦＴ型液晶表示パネルを駆動するゲート信号とドレイン信号とソース信号などを、それぞれ１端子以上出力しており、複数の種類の信号のそれぞれ各１端子以上を二枚の表示パネル（メインパネルとサブパネル）に接続して同一の信号で二枚の表示パネルを同時に駆動する。同一信号で駆動するため、メインパネルより画素数が少ないサブパネルにはメインパネルに表示される画像の一部がサブパネルに表示される。
【００１３】
メインパネルの画面で表示を観察しているときに、サブパネルの画面の表示が見えないようにするには、メインパネルとサブパネルの駆動電圧に差をつければよい。具体的には、異なる液晶の材質を用いたり、または、駆動電極上に形成してあるオーバーコート，パッシベーション膜の材質や厚みを調節したりすればよい。このように構成された表示装置では、メインパネルの画面を表示する場合は、メインパネルの液晶駆動電圧がサブパネルにも印加される。サブパネルの駆動電圧がメインパネルより高い場合には、サブパネルは液晶が動作しないため表示が出ない。また、サブパネルの駆動電圧がメインパネルより低い場合は、液晶が全てＯＮ状態（全表示）になり表示内容が判別できない状態になる。一方、サブパネルの画面で表示を観察する場合は、サブパネルに適した液晶駆動電圧を印加する。このとき、メインパネルは携帯電話を閉じているので見えない。これは、ＳＴＮ型液晶表示装置もＴＦＴ型液晶表示装置も同じである。
【００１４】
メインパネルとサブパネルを同一信号で駆動するためには、ドライバＩＣからの出力した信号をメインパネルとサブパネルに供給する。
【００１５】
すなわち、本発明の表示装置は、第一の表示パネルと、第二の表示パネルと、第一の表示パネルと第二の表示パネルを駆動するドライバＩＣと、ドライバＩＣが実装されたＦＰＣと、第一の表示パネルと第二の表示パネルを接続する接続基板を備えている。ＦＰＣには、ドライバＩＣが出力する同一の駆動信号を第一の表示パネルに与えるための第一の接続端子と第二の接続端子が形成されており、第一の接続端子から入力された駆動信号は第一の表示パネルの駆動に用いられ、第二の接続端子から入力された駆動信号は第一の表示パネルに形成された配線電極を経由して第二の表示パネルに供給されて第二の表示パネルの駆動に用いられる。ＦＰＣは、第一の表示パネルの電極端子と接続するために、ドライバＩＣから出力する複数の駆動信号電極を所定の位置に帯状に隣接して設けられた接続端子を有している。この接続端子には、第二の表示パネルに駆動信号を供給するための電極も含まれている。すなわち、接続端子には、同一の駆動信号を第一の表示パネルに入力する接続端子が含まれている。この構成にすることで、第二の表示パネルには第一の表示パネルを駆動する信号が第一の表示パネルと同時に印加できる。
【００１６】
さらに、他の構成として、第一の表示パネルと、第二の表示パネルと、第一の表示パネルと第二の表示パネルを駆動するドライバＩＣと、ドライバＩＣが実装されたＦＰＣと、第一の表示パネルと第二の表示パネルを接続する接続基板を備えている。そして、第一の表示パネルには、ＦＰＣと接続する接続端子部、ドライバＩＣが出力する駆動信号を第一の表示パネルに与えるための第一の配線、および、第二の表示パネルに与えるための第二の配線が形成されており、この接続端子部は第一の配線と前記第二の配線と電気的に接続されている。第二の表示パネルには第一の表示パネルを駆動する信号が第一の表示パネルと同時に印加される。ＦＰＣは、第一の表示パネルの電極端子と接続するために、ドライバＩＣから出力する複数の駆動信号電極を所定の位置に帯状に隣接して設けられた接続端子を有し、第一の表示パネルの電極端子と接続している。第一の表示パネルの電極端子のうち、第二の表示パネルにも供給する駆動信号が入力された電極端子の一部は、第一の表示パネルの外周に沿って配線されたパターンにより、接続基板の端子に接続するための電極に接続されている。このようにして、第二の表示パネルに印加する駆動信号が第一の表示パネルを経由して入力される構造とした。
【００１７】
さらに、他の構成として、第一の表示パネルと、第二の表示パネルと、第一の表示パネルと第二の表示パネルを駆動するドライバＩＣと、ドライバＩＣが実装されたＦＰＣを備えている。このＦＰＣには第一の表示パネルと接続する第一の接続端子部と第二の表示パネルと接続する第二の接続端子部が形成されており、第二の接続端子部を構成する端子は第一の接続端子部の端子に配線されている。そのため、第二の表示パネルに印加される駆動信号が第一の表示パネルと同時に印加されることとなる。すなわち、第一の接続端子部にはドライバＩＣから出力する複数の駆動信号電極が所定の位置に帯状に隣接して配置されている。更にこの複数の駆動信号電極のうち、必要な駆動信号電極を延長して第二の接続端子部を形成している。
【００１８】
【実施例】
以下、表示パネルにＳＴＮ型液晶表示装置を用いた実施例を図面に基づいて詳細に説明する。
【００１９】
（実施例１）
本実施例による両面表示装置の外観を図１及び図２に示す。図１に両面表示装置を展開した構成を、図２に組み立てた状態を模式的に示す。
【００２０】
図示するように、メインパネル３とサブパネル１の間に両面発光型のバックライト６が配置されている。また、メインパネル３にはドライバＩＣ５を実装したＦＰＣ４が接続部７で接続されており、サブパネル１とメインパネル３は接続基板２で接続している。ＦＰＣ４に実装したドライバＩＣ５によりサブパネル１とメインパネル３は駆動される。本実施例では、サブパネル１にはメインパネルに供給されるコモン信号の一部をそのままコモン信号として供給している。そのため、接続部７でＦＰＣ４のパターンがコの字状に形成してあり、２ヶ所で接続する構成となる。このうちの１箇所からメインパネル３にコモン信号が供給され、もう一箇所からメインパネル３の外周部と接続基板２を経由してサブパネル１にコモン信号が供給される。以下接続の構成を詳細に説明する。図３は、サブパネルを構成する透明基板１１を表し、コモン信号電極１２が透明基板上に形成されている。図４は、サブパネルを構成する対向基板１３であり、セグメント信号電極１４とコモン信号の引き回し配線１５が形成されている。サブパネルは、この透明基板と対向基板に液晶分子を配向する配向膜を形成し、互いの配向膜が対向するように両基板を対向させ、両基板の間隔に液晶を封入することにより形成されている。両基板を接合するためのシールには、樹脂ボールにニッケルと置換金メッキされた導電粒子が配合してあり、この導電粒子により引き回し配線１５とコモン信号電極１２が電気的に接続されている。メインパネル３も図５及び図６は、メインパネルを構成する透明基板３１と対向基板３３を表す外観図であり、透明基板３１にはコモン信号電極３２が形成されている。一方、対向基板３３にはセグメント信号電極３４、透明基板３１のコモン信号電極に信号を導くための引き回し電極３５、サブパネルに信号を導くための引き回し電極３６が形成されている。メインパネルは、上述のサブパネルと同様に、透明基板３１と対向基板３３を使って製造される。
【００２１】
図７を用いて各部品の配線の関係や信号の流れを説明する。ドライバＩＣ５が実装されたＦＰＣ４はメインパネル３に異方導電膜で接続されている。また、メインパネル３は接続基板２を介してサブパネル１に接続されている。同様に、接続基板２は異方性導電膜を用いてメインパネル３とサブパネル１に接続されている。一方、ＦＰＣ４上に形成されたコモン信号用の電極端子は、メインパネルとの接続部でコの字に形成されている。そのため、ドライバＩＣ５から出力したあるコモン信号は、メインパネル上に形成された２つの電極端子に印加されることになる。そして、一つの電極端子はメインパネル３のセグメント基板上の配線を経由してメインパネル３のコモン電極に電気的に接続され、もう一つの電極端子はメインパネルのセグメント基板上の引き回し配線、接続基板２の配線、サブパネルのセグメント基板上の配線を経由してサブパネル１のコモン電極に電気的に接続される。ここで、ＦＰＣ４に形成された同一コモン信号が印加される２つの電極端子を接続する配線部分は、メインパネルのセグメント基板上に形成された電極端子と重なり合いクロスオーバーするため、メインパネルのセグメント基板とＦＰＣのうち少なくとも一方のクロスオーバー部には、絶縁層を設けてショートを防止する必要がある。具体的には、クロスオーバー部のＦＰＣにレジストを形成するか、クロスオーバー部の電極端子上にＳｉＯ２などのオーバーコートを形成すればよい。
【００２２】
したがって、ドライバＩＣ５から出力したセグメント信号はメインパネル３のセグメント電極に供給される。このうち、必要なセグメント信号が接続基板を通ってサブパネルのセグメント電極に供給される。一方、ドライバＩＣ５から出力したコモン信号は、ＦＰＣ４の２箇所の電極端子からメインパネルに供給されることとなる。そのうちの一箇所の電極端子に入力された信号はメインパネルの配線（図６中の引き回し電極３５）を介してコモン電極に供給される。一方、もう一箇所の電極端子に入力された信号はメインパネル外周部の配線（図６中の引き回し電極３６）、接続基板２の配線、及びサブパネルの配線（図４中の引き回し配線１５）を介してコモン電極に供給される。
【００２３】
このような構成によれば、メインパネル３とサブパネル１は、同一ドライバＩＣ５により同時駆動する事ができる。シェルタイプの携帯電話で使用する場合では、携帯電話を閉じているときにサブパネルの表示画面を使用する。この場合、ドライバＩＣのパーシャルモードでサブパネルを表示する。一方、携帯電話を開いたときにメインパネルを使用する。この場合、ドライバＩＣの全画面表示モードでメインパネルを表示するが、サブパネルにもメインパネルで表示した画面の一部が表示されることになる。これを防止するには、メインパネルと異なる液晶駆動電圧のサブパネルを使用する。例えばメインパネルの駆動電圧を１２Ｖ、サブパネルの駆動電圧を１５Ｖとする。サブパネルを表示するときは、駆動電圧を１５Ｖのパーシャルモードで駆動する。このとき、メインパネルは、液晶が立っている状態になるが、携帯電話を閉じているために見えない。一方、メインパネルを表示するときは１２Ｖで駆動して観察するため、サブパネルの液晶は立たないこととなり、ＯＦＦ状態に見える。
【００２４】
液晶駆動電圧は、逆にサブパネルが低くても良い。
【００２５】
（実施例２）
本実施例による両面表示装置の外観を図８及び図９に示す。図８に両面表示装置を展開した構成を、図９に組み立てた状態を模式的に示す。図示するように、本実施例でもドライバＩＣ５が実装されたＦＰＣ４は接続部７でメインパネル３に接続されている。一方、サブパネル１とメインパネル３は接続基板２で接続されている。そして、サブパネル１とメインパネル３はドライバＩＣ５により駆動される。また、メインパネル３とサブパネル１の間に両面発光バックライト６が配置されている。サブパネル１には、メインパネルに供給されるコモン信号の一部をそのままコモン信号として供給している。実施例１とは接続部７の詳細が相違している。すなわち、メインパネル３のセグメント基板のパターン形状やＦＰＣの端子部の形状が異なっている。サブパネル１、及び、メインパネル３のコモン基板については、実施例１と同じなので詳細は省略する。図１０に、本実施例のメインパネル１を構成する対向基板３３の外観図を模式的に示す。図示するように、対向基板３３にはセグメント信号電極３４、透明基板３１のコモン信号電極に信号を導くための引き回し電極３５、サブパネルに信号を導くための引き回し電極３６が形成されている。
【００２６】
そして、引き回し電極３６は必要に応じて対向基板上の配線パターンによって引き回し電極３５と電気的に接続されている。すなわち、対向基板３３上のコモン信号用の配線はコの字型のパターンになっている。そのため、ＦＰＣ４のコモン出力端子を実施例１のように２ヶ所に設ける必要がなくなり、標準的に入手できるＦＰＣを用いることも可能になる。
【００２７】
次に、図１１を用いて各部品の配線の関係や信号の流れを説明する。なお、実施例１と重複する部分については適宜省略する。ＦＰＣ４上に形成されたコモン信号用の電極端子は、対向基板上に設けられたコモン信号用の電極（引き回し電極３５、３６）に接続されている。そのため、ドライバＩＣ５から出力したあるコモン信号は、引き回し電極３５を通って透明基板３１のコモン信号電極３２に供給されるとともに、引き回し電極３６、接続基板２、及び、サブパネルの対向基板１３の１５を通ってサブパネルの透明基板１１のコモン信号電極１２に供給されることになる。このように、メインパネル３とサブパネル１を、同一ドライバＩＣ５により同時駆動することが可能になる。
【００２８】
この場合は、実施例１に比べて対向基板３３が大きくなる可能性はあるものの、ＦＰＣ４とメインパネル３との接続端子の本数が減るため、接続部の管理が部分的に容易である。また、コの字状の透明電極と重なるＦＰＣの個所は、ソルダーレジストで２３をコートし、ショートを防止する構成した。
【００２９】
コの字状の配線の水平に曲がった配線部分とＦＰＣのコモン信号用の接続端子は重なり合いクロスオーバーするため、異方性導電膜で接続するクロスオーバー部には、ＦＰＣにレジストを形成してショートの防止をした。
【００３０】
（実施例３）
本実施例による両面表示装置の外観を図１２に模式的に示す。
本実施例では、ＦＰＣ４にメインパネル３とサブパネル１にそれぞれ接続する端子を設けている。したがって、サブパネル１と接続するための引き回し電極をメインパネル３に設ける必要のない構造とした。そのため、メインパネル３を狭額縁にすることができる。また、ＦＰＣが１枚ですむので、部品点数が削減できる。また、異方性導電膜での接続ヶ所が２ヶ所で済む。
【００３１】
図１３に、両面表示装置の側面図を示す。メインパネル３とサブパネル１の間に両面発光バックライト６を配置した構造である。サブパネル１、及び、メインパネル３のコモン基板については、上述した実施例と同じなので詳細は省略する。本実施例のメインパネル１を構成する対向基板３３の外観図を図１４に模式的に示す。図示するように、対向基板３３にはセグメント信号電極３４、メインパネルの透明基板３１のコモン信号電極３２に信号を導くための引き回し電極３５が形成されている。
【００３２】
次に、図１５を用いて各部品の配線の関係や信号の流れを説明する。なお、上述した実施例と重複する部分については適宜省略する。ＦＰＣ４にはメインパネル３と接続するための第一の端子部とサブパネル１に接続するための第二の端子部を形成してある。そのため、ドライバＩＣ５から出力したコモン信号は第一の接続端子部から引き回し電極３５を経由してメインパネル３を構成する透明基板３１のコモン信号電極３２に供給されるとともに、第二の接続端子部から引き回し配線１５を経由してサブパネル１を構成する透明基板１１のコモン信号電極１２に供給される。このように、メインパネル３とサブパネル１を、同一ドライバＩＣ５により同時駆動することが可能になる。この構成では、メインパネルとサブパネルの位置関係は逆でもよい。
【００３３】
上述した各実施例では、表示パネルにＳＴＮ型の液晶表示素子を用いた場合を説明したが、他の方式の表示素子、例えば、ＴＦＴ型液晶表示素子、有機ＥＬ素子、ＦＥＤ、ＬＥＤ素子に適用することもできる。また、ドライバを一部または全てを内蔵した低温ポリシリコン型ＴＦＴが設けられた液晶表示素子や有機ＥＬ素子をメインパネルとして用いてもよい。
【００３４】
【発明の効果】
以上説明したように、本発明によれば、２枚の表示パネルをドライバＩＣの出力信号を兼用して表示する事が可能となる。また、安価な片面配線を使用して構成できる。また、部品点数の削減ができ、実装工数の削減ができたため、安価な両面表示装置の提供が可能となった。
【図面の簡単な説明】
【図１】本発明の表示装置を示す模式的展開図である。
【図２】本発明の表示装置を示す模式的側面図である。
【図３】本発明の第二の表示素子を構成する透明基板のコモン電極を示す模式図である。
【図４】本発明の第二の表示素子を構成する対向基板のセグメント電極を示す模式図である。
【図５】本発明の第一の表示素子を構成する透明基板のコモン電極を示す模式図である。
【図６】本発明の第１実施例による第一の表示素子を構成する対向基板のセグメント電極を示す模式図である。
【図７】本発明の第１実施例による表示装置の部品の配線関係を示す模式図である。
【図８】本発明の第２実施例による表示装置を示す模式的展開図である。
【図９】本発明の第２実施例による表示装置を示す模式的側面図である。
【図１０】本発明の第２実施例による第一の表示素子を構成する対向基板のセグメント電極を示す模式図である。
【図１１】本発明の第２実施例による表示装置の部品の配線関係を示す模式図である。
【図１２】本発明の第３実施例による表示装置の外観を示す模式図である。
【図１３】本発明の第３実施例による表示装置を示す模式的側面図である。
【図１４】本発明の第３実施例による第一の表示素子を構成する対向基板のセグメント電極を示す模式図である。
【図１５】本発明の第３実施例による表示装置の部品の配線関係を示す模式図である。
【符号の説明】
１  サブパネル
２  接続基板
３  メインパネル
４  ＦＰＣ
５  ドライバＩＣ
６  バックライト
７  接続部
１１  透明基板
１２  コモン信号電極
１３  対向基板
１４  セグメント信号電極
１５  引き回し配線
３２  コモン信号電極
３４  セグメント信号電極
３５  引き回し電極
３６  サブパネルに信号を導くための引き回し電極
【図１】
2005070121.tif 000003
【図２】
2005070121.tif 000004
【図３】
2005070121.tif 000005
【図４】
2005070121.tif 000006
【図５】
2005070121.tif 000007
【図６】
2005070121.tif 000008
【図７】
2005070121.tif 000009
【図８】
2005070121.tif 000010
【図９】
2005070121.tif 000011
【図１０】
2005070121.tif 000012
【図１１】
2005070121.tif 000013
【図１２】
2005070121.tif 000014
【図１３】
2005070121.tif 000015
【図１４】
2005070121.tif 000016
【図１５】
2005070121.tif 000017